(57)【要約】【課題】バス車両等のテレビモニタを天井側に収納する構造において、安全確保のために必要な強度を有すると共に軽量化を実現し、安定した所定の姿勢を保ち得る構造であって、乗客が下方に開いたテレビモニタに頭部等をぶつけた場合でも、その衝撃を吸収緩和することによって安全を図るようにする。【解決手段】本体枠２の内部にモニタ収納枠３を格納する格納スペース４が設けられ、モニタ収納枠３の背部に連結保持板５の一端を回動軸５ａで支承すると共に他端を格納スペース４の後端縁に回動軸５ｂで支承する一方、モニタ収納枠３の一端両側にローラ７、７を回動自在に設け、夫々のローラ７の軌道を格納スペース４の両側に沿って直線状に案内するクッション板９が弾性的に支持され、クッション板９の途中に夫々のローラ７が乗り越して係止される移動止め突起２０が設けられたことによって、モニタ収納枠３の所定開度を保持する。【選択図】図６
2006264664.tif 000002
【特許請求の範囲】
【請求項１】
バス車両等の天井に取り付けられる本体枠の内部にモニタ収納枠を格納する格納スペースが設けられ、前記モニタ収納枠の背部に連結保持板の一端を回動軸で支承すると共に該連結保持板の他端を前記格納スペースの後端縁に回動軸で支承する一方、前記モニタ収納枠の一端両側にローラを回動自在に設け、夫々のローラの軌道を前記格納スペースの両側に沿って直線状に案内するクッション板が前記格納スペースの両側にて弾性的に支持された構成によって、前記両側のローラが前記クッション板の案内によって前記格納スペースの両側に沿う直線軌道を移動すると共に、前記モニタ収納枠の背部を前記連結保持板が支持することにより、該モニタ収納枠を所定開度に開くことができ、前記クッション板の途中に夫々のローラが乗り越して定位置に係止される移動止め突起が設けられたことによって、前記モニタ収納枠の所定開度を保持するようにしたことを特徴とする車両搭載用モニタ格納装置。
【請求項２】
前記モニタ収納枠を前記本体枠の格納スペースに格納した状態を固定するラッチ機構を設け、該ラッチ機構のラッチ解除ボタンによって前記モニタ収納枠の格納状態を解除するようにしたことを特徴とする請求項１記載の車両搭載用モニタ格納装置。
【請求項３】
前記クッション板の移動止め突起の延長位置に上り勾配をなす衝撃吸収突起が設けられたことを特徴とする請求項１又は２記載の車両搭載用モニタ格納装置。
【請求項４】
前記クッション板は前記本体枠の格納スペースの両側に設けられた支持片にクッション部材を介して設けられ、前記支持片に前記クッション板の高さを調整するクッション調整ネジが設けられたことを特徴とする請求項１、２又は３記載の車両搭載用モニタ格納装置。
【請求項５】
前記モニタ収納枠の下面端部に開閉取手が設けられたことを特徴とする請求項１、２、３又は４記載の車両搭載用モニタ格納装置。
【請求項６】
バス車両等の天井に取り付けられる本体枠の内部にモニタ収納枠を格納する格納スペースが設けられ、前記モニタ収納枠の背部に連結保持板の一端を回動自在に支承すると共に該連結保持板の他端を前記格納スペースの後端縁に回動自在に支承する一方、前記モニタ収納枠の上部に固定されたモータの出力軸に取付けられた歯車が前記格納スペース内に固設されたガイド溝内の長手方向に沿うラックギヤに歯合され、該ガイド溝は直線軌道の端部に円弧軌道を有し、該円弧軌道は前記モニタ収納枠が閉じる際に円弧状に変化する前記歯車の軌道に従って湾曲した形状を有し、前記モータの駆動で前記歯車が前記ラックギアに歯合して走行することにより、前記モニタ収納枠を前記格納スペースに格納したり開いたりするようにしたことを特徴とする車両搭載用モニタ格納装置。
【請求項７】
前記モニタ収納枠に取付けられた歯車が前記ガイド溝の直線軌道から、該モニタ収納枠の格納直前に前記連結保持板が格納スペースの後端縁に回動自在に支承されてなる支点を中心に円弧を描くことにより、前記歯車が前記ラックギアに円滑に噛み合うことによって前記モニタ収納枠を収納可能としたことを特徴とする請求項６記載の車両搭載用モニタ格納装置。
【請求項８】
前記モニタ収納枠の格納時に、該モニタ収納枠を格納方向へ弾性的に引っ張る付勢手段が設けられたことを特徴とする請求項６又は７記載の車両搭載用モニタ格納装置。
【請求項９】
前記歯車が前記ガイド溝内のラックギヤに噛み合う反対側に該ガイド溝内の長手方向に沿う弾性部材が設けられ、前記モータの出力軸の歯車に隣接して回動自在に軸設された回転体が前記弾性部材に接触して回動することにより、前記モータの出力軸に取付けられた歯車が前記ガイド溝内のラックギヤに強く噛み合い且つ衝撃が緩和されるようにしたことを特徴とする請求項６、７又は８記載の車両搭載用モニタ格納装置。
【請求項１０】
前記ガイド溝内のラックギヤが弾性部材を介して取付けられたことにより、前記モータの出力軸に取付けられた歯車が前記ガイド溝内のラックギヤに強く噛み合い且つ衝撃が緩和されるようにしたことを特徴とする請求項６、７又は８記載の車両搭載用モニタ格納装置。
【発明の詳細な説明】
【技術分野】
【０００１】
本発明は、バス車両等の天井に設けられるテレビモニタを天井側に収納するようにした車両搭載用モニタ格納装置に関するものである。
【背景技術】
【０００２】
従来から、バス車両等にテレビ受像機を設け、乗客にテレビやビデオ等を放映することが行われている。このような映像の提供は、観光バスや長距離バス等において種々の案内や説明を行う際にも有益であり、欠かすことのできないサービスとなっている。
【０００３】
ところで、前後に長いバス車両等の室内においては、テレビモニタが離れている位置からでもよく見えるように画面の大きさを確保する必要があるが、装置の重量が大きくなると取付け強度に問題が生じるため、最近は、軽量で薄型の液晶型テレビモニタを採用する傾向にある。
【０００４】
また、車内におけるテレビモニタの取り付け箇所としては、乗客の前方視界を確保するため、中央通路の天井に設け、使用しないときには天井側へ収納することによって、乗客が乗り降りする際の支障とならないようにする必要がある。
【０００５】
ところで、車両の天井側にテレビモニタを格納可能にした従来技術としては、特許文献１に記載された車両用テレビの取付け構造がある。この装置は、図１９に示すように、車両の天井Cに設けられたベース部５０の凹部５１にテレビ本体５２を格納する構造として、テレビ本体５２の一端に設けられた回動軸５３を介してテレビ本体５２を回動することにより、テレビ本体５２をベース部５０の凹部５２に格納し、回動軸５３の反対側端部５４を凹部５１の内側に係止することによって、テレビ本体５２の格納状態を固定するようにしたものである。
【０００６】
ところが、このような構造は、小型のテレビモニタの場合には支障なく使用することができたとしても、バス車両等に設置される大型のテレビモニタの場合には、改善すべき種々の課題を有するものである。
【特許文献１】特開２００１−１０５９８８号公報
【発明の開示】
【発明が解決しようとする課題】
【０００７】
バス車両等のように、走行時に激しい振動や上下方向への大きな揺れ、或いは加速または制動時の加速変化等が生じる環境下で、テレビモニタを天井側に収納する開閉機構においては、以下のような課題を克服しなければならない。
【０００８】
(１）バス車両等においては、発進および停止時に前後方向の加速を受けたり、走行中に発生する路面からの振動や衝撃を受けたりするものである。従って、テレビモニタの収納構造において、上記の衝撃や振動あるいは加速変化にも耐え得る強度と、開放定位置における安全且つ安定した姿勢を保つことができる構造が必要である。
【０００９】
(２）従来品では、テレビモニタ収納装置を天井に取り付けた場合に室内側への突起量が大きく、乗客の頭部に接触する危険性が指摘されており、なるべく偏平であって収納したときの突起量が少なく、下方へ開放した際にも突起や部材が露出していない構造が要望されている。さらに、テレビモニタを下方へ開いている状態で乗車客が車内の通路を移動する場合、乗客の頭部や帽子等が当たる場合があり、このとき頭部への衝撃を吸収緩和することによって乗客の安全を図る必要がある。
【００１０】
(３）バス車両等におけるテレビモニタの収納構造においては、乗客の頭上に取り付ける装置であるため、走行中に受ける振動や衝撃に耐える強度を確保すると共に、軽量化によって安全性を図る必要がある。
【００１１】
(４）また、バス車両等のように狭い空間においては、天井埋め込みの各種搭載機器の寸法取り合いという問題があり、装置を小形化するという要望があった。
【００１２】
本発明は、以上の課題を解決するためになされたもので、バス車両等のように走行時に激しい振動や、上下方向への大きな揺れ、或いは加速または制動時の加速変化等が生じる環境下で、テレビモニタを天井側に収納する構造において、安全確保のために必要な強度を有すると共に軽量化を実現し、しかも安全且つ安定した所定の姿勢を保ち得る構造であって、仮に乗客が下方に開いたテレビモニタに頭部等をぶつけた場合でも、その衝撃を吸収緩和することによって安全を図るようにした車両搭載用モニタ格納装置を提供することを目的とする。
【００１３】
また、本発明は、バス車両等のように走行時に激しい振動や、上下方向への大きな揺れ、或いは加速または制動時の加速変化等が生じる環境下で、テレビモニタを天井側に収納する構造において、安全確保のために必要な強度を有すると共に小型軽量化を実現し、しかも安全且つ安定した姿勢を保ち得る構造であって、テレビモニタを電動式に開閉することができるようにした車両搭載用モニタ格納装置を提供することを目的とする。
【課題を解決するための手段】
【００１４】
上記の目的を達成するために、本発明の請求項１の車両搭載用モニタ格納装置は、バス車両等の天井に取り付けられる本体枠の内部にモニタ収納枠を格納する格納スペースが設けられ、前記モニタ収納枠の背部に連結保持板の一端を回動軸で支承すると共に該連結保持板の他端を前記格納スペースの後端縁に回動軸で支承する一方、前記モニタ収納枠の一端両側にローラを回動自在に設け、夫々のローラの軌道を前記格納スペースの両側に沿って直線状に案内するクッション板が前記格納スペースの両側にて弾性的に支持された構成によって、前記両側のローラが前記クッション板の案内によって前記格納スペースの両側に沿う直線軌道を移動すると共に、前記モニタ収納枠の背部を前記連結保持板が支持することにより、該モニタ収納枠を所定開度に開くことができ、前記クッション板の途中に夫々のローラが乗り越して定位置に係止される移動止め突起が設けられたことによって、前記モニタ収納枠の所定開度を保持するようにしたことを特徴とする。
【００１５】
また、本発明の請求項２の車両搭載用モニタ格納装置は、請求項１において、前記モニタ収納枠を前記本体枠の格納スペースに格納した状態を固定するラッチ機構を設け、該ラッチ機構のラッチ解除ボタンによって前記モニタ収納枠の格納状態を解除するようにしたことを特徴とする。
【００１６】
また、本発明の請求項３の車両搭載用モニタ格納装置は、請求項１又は２において、前記クッション板の移動止め突起の延長位置に上り勾配をなす衝撃吸収突起が設けられたことを特徴とする。
【００１７】
また、本発明の請求項４の車両搭載用モニタ格納装置は、請求項１、２又は３において、前記クッション板は前記本体枠の格納スペースの両側に設けられた支持片にクッション部材を介して設けられ、前記支持片に前記クッション板の高さを調整するクッション調整ネジが設けられたことを特徴とする。
【００１８】
また、本発明の請求項５の車両搭載用モニタ格納装置は、請求項１、２、３又は４において、前記モニタ収納枠の下面端部に開閉取手が設けられたことを特徴とする。
【００１９】
また、本発明の請求項６の車両搭載用モニタ格納装置は、バス車両等の天井に取り付けられる本体枠の内部にモニタ収納枠を格納する格納スペースが設けられ、前記モニタ収納枠の背部に連結保持板の一端を回動自在に支承すると共に該連結保持板の他端を前記格納スペースの後端縁に回動自在に支承する一方、前記モニタ収納枠の上部に固定されたモータの出力軸に取付けられた歯車が前記格納スペース内に固設されたガイド溝内の長手方向に沿うラックギヤに歯合され、該ガイド溝は直線軌道の端部に円弧軌道を有し、該円弧軌道は前記モニタ収納枠が閉じる際に円弧状に変化する前記歯車の軌道に従って湾曲した形状を有し、前記モータの駆動で前記歯車が前記ラックギアに歯合して走行することにより、前記モニタ収納枠を前記格納スペースに格納したり開いたりするようにしたことを特徴とする。
【００２０】
また、本発明の請求項７は、請求項６において、前記モニタ収納枠に取付けられた歯車が前記ガイド溝の直線軌道から、該モニタ収納枠の格納直前に前記連結保持板が格納スペースの後端縁に回動自在に支承されてなる支点を中心に円弧を描くことにより、前記歯車が前記ラックギアに円滑に噛み合うことによって前記モニタ収納枠を収納可能としたことを特徴とする。
【００２１】
また、本発明の請求項８は、請求項６又は７において、前記モニタ収納枠の格納時に、該モニタ収納枠を格納方向へ弾性的に引っ張る付勢手段が設けられたことを特徴とする。
【００２２】
また、本発明の請求項９は、請求項６、７又は８において、前記歯車が前記ガイド溝内のラックギヤに噛み合う反対側に該ガイド溝内の長手方向に沿う弾性部材が設けられ、前記モータの出力軸の歯車に隣接して回動自在に軸設された回転体が前記弾性部材に接触して回動することにより、前記モータの出力軸に取付けられた歯車が前記ガイド溝内のラックギヤに強く噛み合い且つ衝撃が緩和されるようにしたことを特徴とする。
【００２３】
さらに、本発明の請求項１０は、請求項６、７又は８において、前記ガイド溝内のラックギヤが弾性部材を介して取付けられたことにより、前記モータの出力軸に取付けられた歯車が前記ガイド溝内のラックギヤに強く噛み合い且つ衝撃が緩和されるようにしたことを特徴とする。
【発明の効果】
【００２４】
本発明による請求項１の車両搭載用モニタ格納装置によれば、本体枠の格納スペースにモニタ収納枠を収納したり開放したりする開閉動作において、モニタ収納枠は背部に回動自在に設けられた連結保持板の一端の回動軸と、該連結保持板の他端の回動軸と、モニタ収納枠の一端両側に設けられたローラとの三点で支持する三角形の支持構造によって、単なる蝶番による開閉構造とは異なり、モニタ収納枠を所定開度に安定した状態で支持することができる。
【００２５】
さらに、ローラを所定位置で係止する移動止め突起が設けられたことによって、モニタ収納枠の所定開度を保持することができ、バス車両等のように走行時に激しい振動や、上下方向への大きな揺れ、或いは加速または制動時の加速変化等が生じる環境下においても、テレビモニタを安定した状態で所定開度に開いておくことができる。
【００２６】
また、上記の三角形状をなす支持構造において、連結保持板の両端の支点は回動自在であり、ローラはクッション板による直線軌道を有し、しかもこのローラは弾性的に支持されていることによって、モニタ収納枠の外部からの衝撃を吸収緩和することができる。また、モニタ収納枠に対して外部から大きな衝撃を受けた場合、クッション板の弾性によって衝撃を吸収緩和すると共に、ローラが移動止め突起を乗りこすことによって係止状態から解除され、このような不意の衝撃に対しても安全性が確保される。
【００２７】
さらに、請求項３の構造のように、クッション板の移動止め突起の延長位置に上り勾配をなす衝撃吸収突起が設けられたことにより、特に、モニタ収納枠を開く方向へ外部からの大きな力が加わった場合、ローラは衝撃吸収突起の上り勾配に沿って移動することによって制動を受け、また同時に、クッション板の弾性力も作用することによって、モニタ収納枠に対する衝撃を緩和しつつ、ローラの移動を制止することができる。
【００２８】
従って、このモニタ収納枠を開いた状態で乗客が頭部等をぶつけた場合でも、その衝撃を吸収緩和することができ、車内を移動する際の乗客の安全を図ることができる。
【００２９】
また、請求項２の構造により、モニタ収納枠を本体枠の格納スペースに格納した状態を固定するラッチ機構が設けられているため、モニタ収納枠を閉じた状態における安全を確保することができ、該ラッチ機構のラッチ解除ボタンによってモニタ収納枠の格納状態を解除することによって、容易にモニタ収納枠を開くことができる。
【００３０】
なお、モニタ収納枠を開く際に、誤って、モニタ収納枠から手を放した場合でも、ローラに対するクッション板の弾性力によって、モニタ収納枠が一挙に開くことはなく、緩やかな動きによる開放動作となり、安全性にも寄与することとなる。
【００３１】
上記のように、本発明の車両搭載用モニタ格納装置は、電気的な制動力や、油圧や空気圧を利用することなく、モニタ収納枠を三角形をなす支持構造で支持すると共に、その一点をローラで構成すると共に、該ローラの動きを弾性的な制動力による水平移動を可能とするように構成してあるため、簡単な構造で堅牢な支持構造を実現することができ、特に重量を要する部品も必要とせず、軽量化の実現にも寄与することができる。
【００３２】
また、本発明の請求項６の車両搭載用モニタ格納装置によれば、本体枠の格納スペースにモニタ収納枠を収納したり開放したりする開閉動作において、モニタ収納枠は背部に回動自在に設けられた連結保持板の一端の回動軸と、該連結保持板の他端の回動軸と、モニタ収納枠の一端両側に設けられた歯車との三点で支持する三角形の支持構造によって、単なる蝶番による開閉構造とは異なり、モニタ収納枠を所定開度に安定した状態で支持することができる。
【００３３】
さらに、本発明においては、モニタ収納枠の上部に固定されたモータの出力軸に取付けられた歯車が、モータの駆動によって、格納スペース内に固設されたガイド溝内の長手方向に沿うラックギヤに歯合された状態で走行することにより、モニタ収納枠を格納スペースに格納したり開いたりすることができるため、運転席のような遠隔場所で遠隔操作することによってモニタ収納枠を開閉することが可能となる。また、モニタ収納枠と一体に移動するモータの構成により、電動式による駆動構造を少ない部品点数で小型軽量に構成することができる。
【００３４】
また、本発明の請求項７の車両搭載用モニタ格納装置において、格納スペース内に固設されたガイド溝は直線軌道の端部に円弧軌道を有し、該円弧軌道は、モニタ収納枠が閉じる際に円弧状に変化する前記歯車の軌道に従って湾曲してある。より具体的には、モニタ収納枠に取付けられた歯車がガイド溝の直線軌道から、該モニタ収納枠の格納直前に、連結保持板が格納スペースの後端縁に回動自在に支承されてなる支点を中心に円弧を描くことにより、歯車がラックギアに円滑に噛み合うことによってモニタ収納枠をスムーズに収納可能とすることができる。
【００３５】
さらに、本発明においては、モニタ収納枠が開閉する方向に移動する際、歯車がラックギアに確実に噛み合うことが要求される。また、その反面、噛み合いに対する外部からの衝撃を緩和する必要がある。
【００３６】
本発明は、そのような構造上の要求を２種の構造によって実現している。即ち、前記歯車が前記ガイド溝内のラックギヤに噛み合う反対側に該ガイド溝内の長手方向に沿う弾性部材が設けられ、前記モータの出力軸の歯車に隣接して回動自在に軸設された回転体が前記弾性部材に接触して回動するようにした構造（請求項９の構造）、また、前記ガイド溝内のラックギヤが弾性部材を介して取付けられた構造（請求項１０の構造）であり、後者のほうがより簡単な構成となる。
【発明を実施するための最良の形態】
【００３７】
以下、本発明の実施例について図面を参照しながら説明する。
【実施例１】
【００３８】
本発明による車両搭載用モニタ格納装置１は、図１又は図２に示すように、バス車両等の天井に取り付けられる本体枠２の内部にモニタ収納枠３を開閉式に格納する格納スペース４が設けられた構成を有する。また、モニタ収納枠３の内側面にはテレビモニタ１２が設けられている。
【００３９】
なお、図１、図２には、バス車両等の天井自体は図示していないが、上記の本体枠２を天井の面から突出する状態で固定してもよいし、天井に本体枠２を収納するスペースを設け、このスペース内に本体枠２を収めた状態で固定することにより、本体枠２の下面を天井の面と同様の高さにし、これによって本体枠２を天井から突出しないように取り付けることも可能である。
【００４０】
上記の本体枠２は矩形箱形状をなし、この内部に形成された格納スペース４に矩形箱形状のモニタ収納枠３を開閉自在に格納するようにしている。その開閉機構としては、図５又は図６に示すように、モニタ収納枠３の背部の途中に連結保持板５（連結保持板５の斜視図は図２に示す）の一端を回動軸５ａで支承すると共に該連結保持板５の他端を格納スペース４の後端縁に回動軸５ｂで支承した構成としてある。このような連結保持板５の回動軸５ａ、５ｂとしては、図３にも示すように、連結保持板５の四方に配した蝶番６を使用することによって構成することができる。
【００４１】
このような構成において、連結保持板５の長さの設定、或いは連結保持板５の一端をモニタ収納枠３の背部のどの位置に取り付けるか、さらにはモニタ収納枠３の一端両側に設けられた後述するローラ７の保持位置によって、モニタ収納枠３の開度を定めることができる。なお、図６に示すモニタ収納枠３の開度は、図示のように、１０５°としてある。
【００４２】
さらに、図５又は図６に示すように、上記のモニタ収納枠３の一端両側にはローラ取付片８（図３、図４参照）が設けられ、夫々のローラ取付片８にローラ７が回動自在に軸支されている。夫々のローラ７、７は、本体枠２の内部の両側、即ちモニタ収納枠３の両側に沿って設けられたクッション板９、９に沿って直線状に移動する。
【００４３】
このような構成について詳細に述べると、図４に示すように、モニタ収納枠３の両側にはクッション板９、９が同一の構成で固定されている。いずれのクッション板９、９も、図５に示すように長尺であり、図７に示すように断面形状として上側フランジ９ａを有する。このクッション板９の上側フランジ９ａの上面と本体枠２の天面との間にモニタ収納枠３の一端両側のローラ７が挟まれた状態で夫々のローラ７が直線状に転動し、これによってモニタ収納枠３の開閉時における案内がなされる。
【００４４】
なお、いずれのクッション板９、９においても、図５に示すように、上側フランジ９ａの片側（モニタ収納枠３を閉じた状態においてローラ７が位置する側）には勾配を有する傾斜面９ｂが形成され、この傾斜面９ｂに応じて本体枠２の側にも勾配を有する天井片１０が固設されている。これは、図５に示すように、モニタ収納枠３を完全に閉じる状態に近づいたとき、ローラ７は、連結保持板５の回動軸５ｂを中心にローラ７の中点を半径に弧を描くため、上側フランジ９ａの片側には勾配を有する傾斜面９ｂが必要とされるのである。
【００４５】
また、図５に示すように、クッション板９の両端付近及び略中央には上下方向にやや長尺の長穴１１が形成され、夫々の長穴１１を介してクッション板９が本体枠２の側板にネジ１２でネジ止めされることによって、該クッション板９は上下方向に長穴１１の分だけ移動可能とされている。
【００４６】
さらに、図５に示すように、クッション板９の上側フランジ９ａとこれに離間して左右の下側に配された短尺の支持板１３、１３との間には夫々の支持板に２個ずつ配されたゴム製の弾性部材１４がネジ１４ａで固設されている。
【００４７】
また、夫々の支持板１３には、その中央位置に設けられたネジ穴にクッション調整ネジ１５が螺入され、このクッション調整ネジ１５の頭部が、図７に示すように、本体枠２の側部を水平状に折り曲げてなる下側片２ａに当接することによって支持され、このクッション調整ネジ１５の調整によって各支持板１３の高さが調整されることによって、クッション板９の高さを上下方向に移動し、これによって本体枠２の天面とクッション板９の上側フランジ９ａとの間に挟まれたローラ７の移動を弾性部材１４によって弾性的に緩衝するようにしている。
【００４８】
なお、クッション調整ネジ１５は頭部にドライバー用の溝を設けたものを使用し、本体枠２のフランジ部２ａに穿設した小穴１６からドライバの先端を挿入してクッション調整ネジ１５の締め回しを行うようにしてもよい。
【００４９】
さらに、上記の構成においては、図３に示すように、モニタ収納枠３の下面端部付近に開閉取手１８が設けられ、この開閉取手１８に手をかけて引っ張ることによって、図２に示すように、モニタ収納枠３を下方へ開くことができる。
【００５０】
本発明による車両搭載用モニタ格納装置１は、上記のように構成されているため、図６に示すように、モニタ収納枠３を下方に開くことで、両側のローラ７、７がクッション板９、９の弾性によって制動されながら移動するため、モニタ収納枠３の開閉の動きが抑制されることによって、安全性を図ることができる。
【００５１】
さらに、図６に示すように、モニタ収納枠３が開いた状態において、クッション板９、９の途中に夫々のローラ７が乗り越して定位置に係止される移動止め突起１９が設けられている。この移動止め突起１９は、図５に示すように、クッション板９の上側フランジ９ａの面からやや高く突出する部材を設け、その部材の途中に凹部１９ａを備えることにより、ローラ７が突出部を乗り越して凹部１９ａに係止され（図６の状態）、モニタ収納枠３を所定開度に開いた状態で、ローラ７の停止状態を維持することができる。
【００５２】
さらに、図６に示すように、クッション板９、９の移動止め突起１９の延長位置に上り勾配をなす衝撃吸収突起２０が設けられたことによって、本体枠２の天板との関係で、ローラ７の軌道幅が徐々に狭くなる構成とされているため、モニタ収納枠３を開いた状態で、このモニタ収納枠３をさらに開かせる方向へ衝撃が加わったとき、ローラ７は図６の左方へ移動しようとするが、その移動は上記の衝撃吸収突起２０によって抑制され、これと同時にクッション板９の弾性が作用する。従って、仮に、モニタ収納枠３を開いた状態で、人の頭があたった場合、その衝撃は衝撃吸収突起２０によって吸収され、甚大な怪我を防止することに役立つ。
【００５３】
また、図８(ａ)、(ｂ)に示すように、モニタ収納枠３を本体枠２の格納スペース４に格納した状態を固定するラッチ機構２１が設けられている。このラッチ機構２１は、本体枠２の下側片２ｂに形成された穴２２を通過しうるラッチ解除ボタン２３を備え、該ラッチ解除ボタン２３は上方に伸びるロッド２４を有する。
【００５４】
ロッド２４は本体枠２の側部から延長された下側係止片２５ａの貫通孔２６を挿通し、ロッド２４の途中に設けられた移動規制ピン２７が下側係止片２５ａの上部に位置することによって該ロッド２４の下方への移動を規制する。さらに、ロッド２４の上部には係止ピン２８が設けられ、この係止ピン２８に係止された状態でラッチ係止片２９の穴部２９ａをロッド２４の上部に挿通し、さらにラッチ係止片２９の上方にコイルバネ３０を設けてロッド２４に挿通した状態にしている。
【００５５】
また、上記のラッチ係止片２９は、本体枠２の側部から水平状に延長された上側係止片２５ｂの上方に係止されるもので、該ラッチ係止片２９の他端がラッチ３１の側部に固定され、該ラッチ３１は本体枠２の天板付近に回動自在に軸３２で支承されているため、図８(ａ)に示すように、上記のラッチ解除ボタン２３を上方へ押圧し、また離すことによって、ラッチ３１を軸周りに左右方向へ振ることができる。
【００５６】
さらに、ラッチ３１の下側端部は外側に屈曲され、モニタ収納枠３を上方に閉じる際にモニタ収納枠３の端部がラッチ３１の屈曲片３１ａに当たって、該ラッチ３１をコイルバネ３０の弾性力に抗して開く。また、モニタ収納枠３をモニタ収納枠３に完全に収納したとき、モニタ収納枠３の側部に設けられた係止突起３３がラッチ３１の途中に形成された係止穴３１ｂを係止することによって、モニタ収納枠３の格納状態を固定した状態にすることができる。
【００５７】
また、ラッチ機構２１のラッチ解除ボタン２３を押圧することによって、モニタ収納枠３の格納状態を解除し、モニタ収納枠３を開くことができる。
【実施例２】
【００５８】
上記の実施例１においては、モニタ収納枠を手動で開閉するようにしてあるが、本実施例２においては、モニタ収納枠を電動で開閉するようにしてある。即ち、本実施例による車両搭載用モニタ格納装置101は、図９に示すように、バス車両等の天井102に取り付けられる本体枠103の内部に格納スペース104が設けられ、この格納スペース104にモニタ収納枠105を電動式に開いたり格納するようにしたものである。なお、上記のモニタ収納枠105の内側面にはテレビモニタ106が設けられ、モニタ収納枠105を開いたときに、バス車両等の乗客がテレビモニタ106を略平行方向に見ることができるようにされている。
【００５９】
図１０(ａ)、(ｂ)、(ｃ)は、いずれも本体枠103の格納スペース104にモニタ収納枠105を格納した状態（モニタ収納枠105を閉じた状態）を示すものであり、図１０(ａ)はモータ側の側面図であり、図１０(ｂ)は取付け状態を見あげた図であり、図１０(ｃ)はガイド溝110側の側面図である。
【００６０】
また、図１１(ａ)は本体枠103の格納スペース104にモニタ収納枠105を格納した状態（モニタ収納枠105を閉じた状態）を側面方向から示すものであり、図１１(ｂ)はモニタ収納枠105を所定角度に開いた状態を側面方向から示すものである。
【００６１】
上記のモニタ収納枠105の開閉機構としては、図１１(ａ)又は(ｂ)に示すように、モニタ収納枠105の背部の途中に連結保持板107の一端を回動軸108ａ（支点A）で支承すると共に、該連結保持板107の他端を格納スペース104の後端縁に回動軸108ｂ（支点B）で支承し、さらに後述するように、モニタ収納枠105の上部に設けられた歯車109（支点C）を本体枠103に対して水平に設けられたガイド溝110内にて支承することにより、支点A、B、Cの三点で支持する三角形の支持構造を構成するようにしている。
【００６２】
また、本実施例においては、後述するように、上記の歯車109（支点C）の位置をガイド溝110に沿って移動させることにより、モニタ収納枠105の視認角度を変化させると共に、モニタ収納枠105の開閉及び格納を行うようにしている。
【００６３】
なお、上記の連結保持板107の回動軸108ａ、108ｂとしては、図１２(ｂ)に示すように、蝶番125をネジで固定することによって構成することができる。
【００６４】
また、上記の構成において、連結保持板107の長さの設定、或いは連結保持板107の一端をモニタ収納枠105の背部のどの位置に取り付けるか、さらにはモニタ収納枠105の上部の歯車109（支点C）の停止位置によって、モニタ収納枠105の開度を定めることができる。
【００６５】
そこで、本実施例において、上記のモニタ収納枠105の開閉駆動を行う機構について述べる。図１０及び図１１に示すように、天井等に取付けられた本体枠103の格納スペース104内の両端付近には、互いに平行に固定されたガイドレール111、111によって、２条のガイド溝110、110が対向配置されている。なお、このガイドレール111は、図示のように格納スペース104内の両側に設けるのではなく、モニタ収納枠105が小型である場合は、格納スペース104の中央に１本だけ固定した構成としてもよい。
【００６６】
また、図１１(ａ)又は(ｂ)に示すガイド溝110は、片側を示すものであるが、両側において同様の形状を有するものである。このガイド溝110は、図１４に示すように断面コ字形であって、図１１(ａ)又は(ｂ)に示すように、ほぼ直線形状を有するが、その端部に円弧軌道110ａを有する。この円弧軌道110ａは、モニタ収納枠105が閉じる際に歯車109の軌道が円弧状に変化するのに従って湾曲してある。
【００６７】
より具体的には、モニタ収納枠105に取付けられた歯車109がガイド溝110の直線軌道から、モニタ収納枠105の格納直前に、支点Bを中心に円弧を描くことにより、歯車109がラックギア112に円滑に噛み合うことによってモニタ収納枠105をスムーズに収納するようにしている。
【００６８】
即ち、図１１(ｂ)に示すようにモニタ収納枠105を開いた状態においては、支点BACの成す角度αが所定の開度を有するが、モニタ収納枠105が閉じるに従って角度αが減少し、連結保持板104がモニタ収納枠105の背面に合致する付近から、歯車109（支点C）は回動軸108ａ（支点A）を中心として円弧を描くようになる。この円弧軌道に従う形状でガイド溝110の端部に円弧軌道110ａが形成されたことにより、モニタ収納枠105を格納スペース104に格納したり開いたりする動作を円滑に行うことが可能となる。
【００６９】
本実施例においては、上記の歯車109がラックギア112と確実に歯合するために、２態様の構成を示すものである。その１つとして、図１５又は図１７に示すように、ガイド溝110の内側において、上側にはガイド溝110（円弧軌道110ａを含む）の長手方向に沿ってラックギヤ112が固定され、またその反対側である下側にはガイド溝110（円弧軌道110ａを含む）の長手方向に沿って弾性部材113（図１６(ｃ)参照）が固定されている。この弾性部材としては、弾性を有するゴム部材等を用いることができる。
【００７０】
一方、モニタ収納枠105の上部にはブラケット114が固定され、図１５に示すように、ブラケット114にギヤモータ115の端部が固定されると共に、このギヤモータ115の回転軸116ａがガイド溝110方向に設けられ、回転軸116ａに延長軸116ｂを連結固定することによってモータ115の出力軸116としている。
【００７１】
この出力軸116をブラケット114に取付けたベアリング117を介して回動自在にガイド溝110の内部にまで延長し、さらに出力軸116の端部に取付けた歯車109がガイド溝110内のラックギヤ112に歯合されると共に、出力軸の歯車109に隣接してベアリングを介して回動自在に軸設された回転体120がガイド溝110内の弾性部材113に接触して回動することにより、モータ115の出力軸116に取付けられた歯車109がガイド溝110内のラックギヤ112に強く噛み合い、且つ外部からの衝撃を緩和して回転走行することが可能となる。
【００７２】
上記の構成においては、出力軸116の歯車109がガイド溝110内のラックギヤ112に噛み合う作用と、モータ115の出力軸116の歯車109に隣接して回動自在に軸設された回転体120が弾性部材113に接触する作用とは、互いに反対方向に押し合う関係にあるため、ギヤモータ115の出力軸116の歯車109がラックギヤ112に対する噛み合い力を確実に保持して、ガタつきの発生を防止することができる。
【００７３】
また、本実施例において、上記の歯車109がラックギア112と確実に歯合するための構成として、他にも図１７及び図１８に示す構成によって実現可能である。即ち、上記のようにガイド溝110内にラックギヤ112を固設する際、弾性部材113を介してラックギア112を取付けることにより、ラックギア112に弾性力を発揮することが可能となる。こうすることによって、図１５又は図１６に示すように、回転体120の接触する部位に弾性体を設けずに、回転体120をガイド溝110の内側に直接接触することによって案内し、上記のように歯車109を確実にラックギヤ112に噛み合わすことが可能となり、上記同様に、モータ115の出力軸116に取付けられた歯車109がガイド溝110内のラックギヤ112に強く噛み合い、且つ外部からの衝撃を緩和することができる。
【００７４】
上記の構成により、ギヤモータ115の駆動によって歯車109がラックギヤ112に歯合して走行することにより、図１１(ａ)又は(ｂ)に示すように、支点Aと支点Cとによる辺ACと、支点Aと支点Bによる辺ABとのなす角度が変化して、モニタ収納枠105の角度を変えることができ、図１１(ａ)に示すようにモニタ収納枠105の格納状態、図１１(ｂ)に示すように、モニタ収納枠105を開いた状態にすることができる。
【００７５】
なお、図１１(ｂ)に示す開いた状態を所定角度で停止するには、モニタ収納枠105の上部に不図示のセンサを設け、これをガイドレール111の所定位置に設けた不図示の受信側で感知することにより、モニタ収納枠105の上部の位置を検知し、これによってギアモータ115を停止することによって、モニタ収納枠105の開度を固定状態にすることができる。
【００７６】
さらに、本実施例においては、モニタ収納枠105の格納時に、該モニタ収納枠105を格納方向へ弾性的に付勢する付勢手段が設けられている。これは、図１１(ａ)、(ｂ)又は図１２(ａ)に示すように、本体枠103の片側（モニタ収納枠105の後方側）の内部に左右に一対のプーリ121、121を設け、夫々のプーリ121、121に掛けたワイヤ122の一端を連結保持部材107に固設された支持部材107ａの上端に固定し、両側のワイヤ122、122の他端を互いにコイルバネ123の両端に結合することによって、コイルバネ123の引張り力により、常時、モニタ収納枠105を閉じる方向へ付勢するようにしている。
【００７７】
このようなモニタ収納枠105を閉じる方向へ付勢する引張り力によって、モニタ収納枠105を格納する際に、モニタ収納枠105を容易に閉じる方向へ付勢することができる。特に、ガイド溝110の端部の円弧軌道110ａのラックギヤ112に歯車109が歯合して移動する際、ギヤモータ115の荷重が倍増されて歯車109に作用するため、モニタ収納枠105を格納する方向へ引き込むことによって歯車109にかかる負担を軽減することができ、結果として、モータを小型化することができ、また歯の強度を上げる必要がない。
【００７８】
上記のようにモニタ収納枠105を閉じる方向に付勢する引張り力は、コイルバネ123によるものではなく、図１４に示すように、エアシリンダ又はオイルシリンダ等によって同様に行うことができる。この場合も、シリンダ124の両端に左右のプーリ121、121に掛けたワイヤ122の一端を結合して、モニタ収納枠105を閉じる方向へ常時付勢するようにしてもよい。
【産業上の利用可能性】
【００７９】
本発明の車両搭載用モニタ格納装置は、バス車両等のように走行時に激しい振動や、上下方向への大きな揺れ、或いは加速または制動時の加速変化等が生じる環境下で、テレビモニタを天井側に収納する構造において、安全確保のために必要な強度を有すると共に軽量化を実現し、しかも安全且つ安定した所定の姿勢を保ち得る構造を実現すると共に、仮に乗客が下方に開いたテレビモニタに頭部等をぶつけた場合でも、その衝撃を吸収緩和し得る車両搭載用モニタ格納装置としての利用が可能である。
【００８０】
また、本発明の車両搭載用モニタ格納装置は、バス車両等のように走行時に激しい振動や、上下方向への大きな揺れ、或いは加速または制動時の加速変化等が生じる環境下で、テレビモニタを天井側に収納する構造において、モニタ収納枠を一体的に移動する電動モータによって駆動することによって軽量化を図り、しかも安全且つ安定した所定の姿勢を保ち得る構造を実現することができる車両搭載用モニタ格納装置としての利用が可能である。
【図面の簡単な説明】
【００８１】
【図１】本発明による車両搭載用モニタ格納装置のモニタ収納枠の開放状態を斜め前方から見た斜視図である。
【図２】本発明による車両搭載用モニタ格納装置のモニタ収納枠の開放状態を斜め後方から見た斜視図である。
【図３】本発明による車両搭載用モニタ格納装置においてモニタ収納枠を閉じた状態を示す平面図である。
【図４】本発明による車両搭載用モニタ格納装置のモニタ収納枠を開いた状態を示す正面図である。ただし、本体枠の両側は内部構造を示す。
【図５】本発明による車両搭載用モニタ格納装置の動作説明を行うための内部構造を示す図であり、モニタ収納枠を閉じた状態を示す。
【図６】本発明による車両搭載用モニタ格納装置の動作説明を行うための内部構造を示す図であり、モニタ収納枠を開いた状態を示す。
【図７】本発明による車両搭載用モニタ格納装置の本体枠の片側の拡大図である。
【図８】本発明におけるラッチ機構を示す図であり、(ａ)はラッチ機構の解除状態、(ｂ)はラッチ機構の係止状態を示す。
【図９】本発明による車両搭載用モニタ格納装置のモニタ収納枠の開放状態を斜め前方から見た斜視図である。
【図１０】(ａ)、(ｂ)、(ｃ)はいずれも本体枠の格納スペースにモニタ収納枠を格納した状態を示す図であり、(ａ)はモータ側の側面図であり、(ｂ)は見あげた状態を示す図でありり、(ｃ)はガイド溝側の側面図である。
【図１１】(ａ)は本体枠の格納スペースにモニタ収納枠を格納した状態を側面方向から示す図であり、(ｂ)はモニタ収納枠を所定角度で開いた状態を側面方向から示す図である。
【図１２】(ａ)は本体枠の格納スペースにモニタ収納枠を格納した状態をモータの配置側から示す図であり、(ｂ)はモニタ収納枠を所定角度で開いた状態をモータの配置側から示す図である。
【図１３】(ａ)は図１２(ａ)の一点鎖線Aで示す楕円内の拡大図であり、(ｂ)は図１２(ｂ)の一点鎖線Bで示す楕円内の拡大図である。
【図１４】本発明における本体枠にシリンダによる付勢手段を設けたことを示す平面図である。
【図１５】図１３(ｂ)の一点鎖線Cで示す楕円内の拡大図であり、歯車をラックギアに歯合する構造の一態様を示す部分側面図である。
【図１６】図１５に示す構造の詳細図であり、(ａ)はガイド溝に設けたラックギアに歯車を歯合している状況を示し、(ｂ)は歯車と回転体（点線で示す）との重なり状況を示し、(ｃ)は回転体が弾性部材に接触している状況を示し、(ｄ)はブラケットに取付けたモータの回転軸に回転体が取付けられている状況を示す。
【図１７】本実施例において、歯車をラックギアに歯合する構造の他の態様を示す部分側面図である。
【図１８】図１７に示す構造の詳細図であり、(ａ)はガイド溝に設けたラックギアに歯車を歯合している状況を示し、 (ｂ)は歯車と回転体（点線で示す）との重なり状況を示し、(ｃ)は回転体がガイド溝の内側に直接接触している状況を示し、(ｄ)はブラケットに取付けたモータの回転軸に回転体が取付けられている状況を示す。
【図１９】(ａ)及び(ｂ)は、特許文献１の装置の側面図である。
【符号の説明】
【００８２】
１  車両搭載用モニタ格納装置
２  本体枠
２ａ  下側片
２ｂ  下側片
３  モニタ収納枠
４  格納スペース
５  連結保持板
５ａ  回動軸
５ｂ  回動軸
６  蝶番
７  ローラ
８  ローラ取付片
９  クッション板
９ａ  上側フランジ
９ｂ  傾斜面
１０  天井片
１１  長穴
１２  テレビモニタ
１３  支持板
１４  弾性部材
１４ａ  ネジ
１５  クッション調整ネジ
１６  小穴
１８  開閉取手
１９  突起
１９ａ  凹部
２０  衝撃吸収突起
２１  ラッチ機構
２２  穴
２３  ラッチ解除ボタン
２４  ロッド
２５ａ  下側係止片
２５ｂ  上側係止片
２６  貫通孔
２７  移動規制ピン
２８  係止ピン
２９  ラッチ係止片
２９ａ  穴部
３０  コイルバネ
３１  ラッチ
３１ａ  屈曲片
３１ｂ  係止穴
３２  軸
１０１  車両搭載用モニタ格納装置
１０２  天井
１０３  本体枠
１０４  格納スペース
１０５モニタ収納枠
１０６  テレビモニタ
１０７  連結保持板
１０８ａ、１０８ｂ  回動軸
１０９  歯車
１１０  ガイド溝
１１０ａ  円弧軌道
１１１  ガイドレール
１１２  ラックギヤ
１１３  弾性部材
１１４  ブラケット
１１５  ギヤモータ
１１６  出力軸
１１６ａ  回転軸
１１６ｂ  延長軸
１１７  ベアリング
１２０  回転体
１２１  プーリ
１２２  ワイヤ
１２３  コイルバネ
１２４  シリンダ
１２５  蝶番
【図１】
2006264664.tif 000003
【図２】
2006264664.tif 000004
【図３】
2006264664.tif 000005
【図４】
2006264664.tif 000006
【図５】
2006264664.tif 000007
【図６】
2006264664.tif 000008
【図７】
2006264664.tif 000009
【図８】
2006264664.tif 000010
【図９】
2006264664.tif 000011
【図１０】
2006264664.tif 000012
【図１１】
2006264664.tif 000013
【図１２】
2006264664.tif 000014
【図１３】
2006264664.tif 000015
【図１４】
2006264664.tif 000016
【図１５】
2006264664.tif 000017
【図１６】
2006264664.tif 000018
【図１７】
2006264664.tif 000019
【図１８】
2006264664.tif 000020
【図１９】
2006264664.tif 000021